(57)【要約】    【課題】  本発明の目的は、インターネットを通じ情報提供するＷＷＷサイトにおいて、利用者には検索の手間といくつものページを開く手間を軽減すると共に、サイト提供者側にはアプリケーションの構築が不要なポータルサイト提供システムを提供することにある。    【解決手段】  本発明は、通信回線を介してインターネットに接続された複数のＷＷＷサイト及びユーザ端末と、ユーザ端末からのＨＴＴＰのリクエストを受けて応答するＨＴＴＰ処理装置と、ユーザの情報に基づいてユーザの認証を行うユーザ情報管理装置と、ＷＷＷサイトの情報からぺ一ジを取得するための情報を取得するサイト情報管理装置と、ＷＷＷサイトにＨＴＴＰ処理装置とインターネットを通じてアクセスし特定のぺ一ジを取得すると共に取得した前記ペ一ジの情報に基づいて新たなぺ一ジに再構成するペ一ジ生成装置と、ユーザの情報、サイトの情報及びペ一ジレイアウト情報を格納するデータ記憶部とを有することを特徴とするポータルサイト提供システムにある。【選択図】  図１
2005222094.tif 000002
【特許請求の範囲】
【請求項１】
通信回線を介してインターネットに接続された複数のＷＷＷ(Wor1d Wide Web)サイト及びユーザ端末と、該ユーザ端末からのＨＴＴＰ(Hyper Text Transfer Protoco1)のリクエストを受けて応答するＨＴＴＰ処理装置と、ユーザの情報に基づいて前記ユーザの認証を行うユーザ情報管理装置と、前記ＷＷＷサイトの情報からぺ一ジを取得するための情報を取得するサイト情報管理装置と、前記ＷＷＷサイトに前記ＨＴＴＰ処理装置とインターネットを通じてアクセスし特定のぺ一ジを取得すると共に取得した前記ペ一ジの情報に基づいて新たなぺ一ジに再構成するペ一ジ生成装置と、前記ユーザの情報、サイトの情報及びペ一ジレイアウト情報を格納するデータ記憶部とを有することを特徴とするポータルサイト提供システム。
【発明の詳細な説明】
【技術分野】
【０００１】
本発明は、ＷＷＷサイト閲覧の玄関となる新規なポータルサイト提供システムに関する。
【背景技術】
【０００２】
インターネット上で提供されているＷＷＷ(World Wide Web)サイトは、インターネットに接続されているコンピュータで、情報を誰もが見られるように公開するシステムであり、全世界にまたがり、現在においては莫大な数の情報が公開されている。その中から、自分の欲しい情報を取得することは困難を極める。それを解決するために、従来より検索エンジン等により検索する手法が知られている。
【０００３】
また、各サイトにおいては、利用者を登録することにより、利用者がページをカスタマイズ可能で、複数の機能より利用者が選択し、ページを構成することを可能とするサイトや、製品を販売するサイトなどにおいては、ユーザの購買状況、利用状況に応じ次の製品購入を促すコンテンツのリコメンドを行うポータルサイトを構築する方法などが知られている。これらのポータルサイトはアプリケーションサーバ及びデータベースにより構成され、ユーザ認証を行い、各々の機能をアプリケーションとして構築し、ユーザの要求に応じて動的なＷＷＷサイトを提供している。
【０００４】
通常利用者は、検索エンジンにより見つけたサイトや、利用者登録しているサイトなど何度も閲覧したいサイトをブックマークに登録し、必要に応じ、ブックマークをクリックすることにより閲覧を行っている。
【０００５】
特許文献１には、コンテンツの収集条件を予め記憶する収集条件メモリと、収集条件に基づきサーバにアクセスしてコンテンツを収集すると共に収集したコンテンツを携帯端末に配信し携帯端末との間でコンテンツの同期をとるための同期部を含む情報収集部と、収集したコンテンツを携帯端末用の形式に変換する変換部とを有し、携帯端末で任意のインターネットのコンテンツにアクセスすること、必要な情報を簡単かつ確実にしかもタイムリーに入手することを可能にする携帯端末用による情報収集サーバが示されている。
【０００６】
【特許文献１】特開2002-202936号公報
【発明の開示】
【発明が解決しようとする課題】
【０００７】
検索エンジンを利用したサイトにおいては、利用者側は、その都度検索を繰り返し、検索結果を絞り込む手間がかかり、検索語の選定にもある程度のコツがいり、人によっては目的のサイトを探し出すためには相当の労力を要する。また、アプリケーションサーバなどを利用したサイトにおいてはそのサイト内の情報しか得られないか、あるいは他のサーバのアプリケーションを利用するためにサーバ間でデータを通信するためには、サーバ間でインターフェースを決定し、データの収受を行うアプリケーションの構築が必須になる。更に、プロバイダなどのネットワーク業者が提供するリソースを利用したり、又はＣＧＩ（Common Gateway Interface）などのアプリケーションの利用ができないホスティングサービスを利用している静的ページしか提供できないサイトにおいては、アプリケーションによるポータルサイトの構築は不可能である。従って、外部情報にまでリンクしポータルサイトを構築することは従来の方法ではサイトの管理が困難なためできなかった。
【０００８】
又、特許文献1においては、通常の検索エンジンなどと同様で、収集条件に当てはまるぺ一ジの数が不定で、それらの内容を確認するためにはそれぞれのぺ一ジ全体を表示させなければならない。複数の異なる収集条件がある場合は、その分だけその手間が増大する。
【０００９】
本発明の目的は、インターネットを通じ情報提供するＷＷＷサイトにおいて、利用者には検索の手間といくつものページを開く手間を軽減すると共に、サイト提供者側にはアプリケーションの構築が不要なポータルサイト提供システムを提供することにある。
【課題を解決するための手段】
【００１０】
本発明は、通信回線を介してインターネットに接続された複数のＷＷＷ(Wor1d Wide Web)サイト及びユーザ端末と、該ユーザ端末からのＨＴＴＰ(Hyper Text Transfer Protoco1)のリクエストを受けて応答するＨＴＴＰ処理装置と、ユーザの情報に基づいて前記ユーザの認証を行うユーザ情報管理装置と、前記ＷＷＷサイトの情報からぺ一ジを取得するのための情報を取得するサイト情報管理装置と、前記ＷＷＷサイトに前記ＨＴＴＰ処理装置とインターネットを通じてアクセスし特定のぺ一ジを取得すると共に取得した前記ペ一ジの情報に基づいて新たなぺ一ジに再構成するペ一ジ生成装置と、前記ユーザの情報、サイトの情報及びペ一ジレイアウト情報を格納するデータ記憶部とを有することを特徴とするポータルサイト提供システムにある。
【００１１】
即ち、サイト提供者側ではそのページ内に特化したタグをあらかじめ挿入し、情報提供サイトとして登録する。利用者側では利用者情報を登録することで認証用ＩＤ(Identity)を付与し、同時に登録されたサイトの中から自分の所望するサイトを選択し登録する。
【００１２】
更に、利用者がログイン認証することにより利用者を特定し、その登録されたサイトのＨＴＭＬ(Hyper Text Markup Language)を取得し、特定のタグにより囲まれた部分を取得し、レイアウトされたページ内に埋め込み表示することにより利用者には少ない手順で目的の情報を収集するＷＷＷページが得られ、コンテンツ提供側にはＣＧＩやアプリケーションサーバなどによるアプリケーションの構築なしに、ポータルサイトのコンテンツで作成できるポータルサイトの提供システムが構築される。
【００１３】
本発明は、具体的には、複数のＷＷＷ(World Wide Web)サイト及びユーザ端末が通信回線を介して相互にインターネットに接続され、前記ユーザ端末からのＨＴＴＰのリクエストを受け付け応答を返すＨＴＴＰ処理装置と、ユーザ情報、サイト情報及びページレイアウト情報を格納するデータ記憶部と、サイトを閲覧するユーザ情報を登録する機能と登録されたユーザ情報により認証及び認証されたユーザの特定を行う機能を有するユーザ情報管理装置と、前記ＷＷＷサイトの情報を登録する機能と特定されたユーザ情報に含まれるＷＷＷサイト情報からページ取得のための情報を取得するサイト情報管理装置と、前記ＷＷＷサイトに前記ＨＴＴＰ処理装置を使用しインターネットを通じてアクセスし特定ページを取得するサイト内ページ取得部を有し取得したページ情報の一部を抽出しページを生成する機能を有するページ生成装置とを有し、ユーザ端末よりインターネットを通じてユーザＩＤ(Identity)及びパスワードなどにより認証処理を行いそのとき特定されたユーザ情報をもとにユーザが登録した所望のＷＷＷサイトの情報をインターネットを通じて取得し、取得したページのＨＴＭＬ中の特定のタグで指定された部分を抽出し、抽出された複数のＷＷＷページの内容をページレイアウト情報に基づき再構成しユーザ端末に表示することを特徴とする。
【００１４】
前記ユーザ情報管理装置は、ユーザ端末を利用するユーザのログイン名やパスワードなどによりユーザ認証を行いユーザの特定を行うユーザ認証部と、そのユーザ情報をデータ記憶部内のユーザ情報に格納するユーザ情報登録部を有することが好ましい。
【００１５】
前記ページ生成装置は、ＨＴＴＰ処理装置を通じてＷＷＷサイトにアクセスしページを取得するサイト内ページ取得部及び取得されたページ情報をページレイアウト情報に従って再構成しＨＴＴＰ処理装置を通じてユーザ端末に表示するページ生成部を有することが好ましい。
【００１６】
前記サイト情報管理装置は、サイト情報よりページ取得に必要な情報を取得するサイト情報取得部とＷＷＷサイトの情報をサイト情報に登録するサイト情報登録部を有することが好ましい。
【００１７】
前記データ記憶部には、ＷＷＷサイトの情報であるサイト情報と、利用者であるユーザ情報と、複数のページレイアウト情報を格納することが好ましい。
【発明の効果】
【００１８】
本発明によれば、インターネットを通じ情報提供するＷＷＷサイトにおいて、利用者には検索の手間といくつものページを開く手間を軽減すると共に、サイト提供者側にはアプリケーションの構築が不要なポータルサイト提供システムを提供することができる。
【発明を実施するための最良の形態】
【００１９】
図１は、本発明のポータルサイト提供システムを示す概略構成図である。図１において、本発明のポータルサイト提供システムサーバ１は、インターネット１６を介して、ページの提供を行うＷＷＷサイト１９〜２１と、ＷＷＷサイトの利用者であるユーザ端末１７、１８とが接続されている。
【００２０】
ポータルサイト提供システムサーバ１はインターネット１６を通してＨＴＴＰプロトコルを処理するＨＴＴＰ処理装置１１を有し、そのＨＴＴＰ処理装置１１を通じてポータルサイト提供システムサーバ１で提供されるＷＷＷページを利用するユーザ情報を管理するユーザ情報管理装置１２及びページ取得の対象となるＷＷＷサイト１９〜２１の情報を管理するサイト情報管理装置１４、ＨＴＴＰ処理装置１１を通じてＷＷＷサイト１９〜２１の情報を取得しその内容からページを生成しユーザ端末１７、１８に表示するページ生成装置１３、更には本実施例の利用者のユーザ情報１５ｂ及びＷＷＷサイトの１９〜２１の情報であるサイト情報１５a及び提供するページのテンプレートであるページレイアウト情報１５ｃを格納するデータ記憶部１５により構成されている。
【００２１】
ユーザ情報管理装置１２は、ユーザ端末１７を利用するユーザのログイン名やパスワードなどによりユーザ認証を行いユーザの特定を行うユーザ認証部１２ａとそのユーザ情報をデータ記憶部１５内のユーザ情報１５ｂに格納するユーザ情報登録部を有する。
【００２２】
ページ生成装置１３は、ＨＴＴＰ処理装置１１を通じてＷＷＷサイト１９〜２１にアクセスしページを取得するサイト内ページ取得部１３ａ及び取得されたページ情報をページレイアウト情報１５ｃに従って再構成しＨＴＴＰ処理装置１１を通じてユーザ端末１７、１８に表示するページ生成部１３ｂを有する。
【００２３】
サイト情報管理装置１４は、サイト情報１５ａよりページ取得に必要な情報を取得するサイト情報取得部１４ａとＷＷＷサイト１９〜２１の情報をサイト情報１５ａに登録するサイト情報登録部１４ｂを有する。
【００２４】
データ記憶部１５には、ＷＷＷサイト１９〜２１の情報であるサイト情報１５ａと利用者であるユーザ情報１５ｂとページレイアウト情報１５ｃが格納される。
【００２５】
本実施例のポータルサイト提供システムサーバ１により情報を提供するＷＷＷサイト１９〜２１の情報は、サイト情報管理装置１４内のサイト情報登録部１４ｂによりデータ記憶部１５内のサイト情報１５ａに格納する。
【００２６】
図２はデータ記憶部のデータ構造の例を示す図である。図２（ａ）に示されるようにユーザ情報は、ユーザを一意に識別するためのユーザＩＤ、認証時に使用するパスワード及び名前、性別、郵便番号、住所などの個人情報と、ユーザ独自のページレイアウト情報が格納されている。又。図２（ｂ）に示されるようにサイト情報は、サイト情報をシステム内で一意に識別するサイトＩＤとユーザが識別し知るためのサイト名称及びアクセスしてページ情報を取得するためのＵＲＬ（Uniform Resource Locator）及びその他情報が格納されている。又、本実施例のポータルサイト提供システムサーバ１では、ユーザ端末１７，１８を利用しページを閲覧するユーザ情報は、ユーザ情報管理装置１２内のユーザ情報登録部１２ｂによりデータ記憶部１５のユーザ情報１５ｂに格納される。
【００２７】
図３はデータ記憶部のページレイアウト情報の例を示す図である。図３に示されるようなページ表示時のテンプレートである複数のページレイアウト情報１５ｃの中から、ユーザが選択したページレイアウト情報及びサイト情報１５ａの中からユーザが選択したサイトのサイトＩＤが格納される。サイトは複数登録可能である。又、図３では、データ記憶部１５のページレイアウト情報１５ｃには、パターンＡ〜Ｃの３つの例を示した。
【００２８】
ユーザは登録時に自身の個人情報と共にページレイアウト及び閲覧したいサイトを選択し登録する。
【００２９】
図４は、本実施例のポータルサイト提供システムにおけるページ表示までの流れを示すページ表示フロー図である。ユーザは、ユーザ端末１７、１８からインターネット１６を通じてＨＴＴＰ処理装置にページ表示要求を送信する。ＨＴＴＰ処理装置では、ユーザが認証してない場合はユーザ情報管理装置１２中のユーザ認証部１２ａに認証処理要求を送信する。ユーザ認証部１２ａは、ユーザ端末１７、１８にログインＩＤ及びパスワードの入力を促す画面を表示する（認証処理Ｓ１）。ユーザは表示された画面に自身のユーザＩＤパスワードを入力し再び送信する。ユーザ情報管理装置１２はユーザ認証部１２ａによりユーザ情報１５ｂに格納されるユーザ情報を参照し、ユーザの特定を試みる（認証処理Ｓ２）。もし、ユーザＩＤとパスワードの組み合わせでユーザが特定できなかった場合は、エラー画面を表示する(エラー画面表示Ｓ９)。ユーザが特定できた場合は、ユーザ情報１５ｂよりユーザ情報を取得する（ユーザ情報取得Ｓ３）。
【００３０】
取得されたユーザ情報よりユーザが登録しているサイトＩＤはページ生成装置１３に渡され、ページ生成装置１３ではサイト情報管理装置１４内のサイト情報取得部１４ａを通じサイト情報１５ａよりページ取得に必要な情報を取得する（サイト情報取得Ｓ４）。取得されたページ情報は、ページ生成装置１３中のサイト内のページ取得部１３ａに送信され、サイト内のページ取得部１３ａは、インターネット１６を通じＷＷＷサイト１９〜２１にアクセスしページ（ＨＴＭＬ）を取得する（ページ取得Ｓ５）。サイト内のページ取得部１３ａは取得したページのＨＴＭＬ中から特定のタグで囲むことによって指定されたページの１部分を取り出す（指定部分取り出しＳ６）。このサイト情報取得Ｓ４から指定部分取り出しＳ６はユーザが登録したサイト分繰り返す。取得された各ＷＷＷサイトのページの１部分は、ユーザが登録したページレイアウト情報に基づきページ生成部１３ｂにより再構成される（ページ生成Ｓ７）。生成されたページはＨＴＴＰ処理装置１１に送信されインターネット１６を通じユーザ端末１７（又は１８）に表示される（ページ表示Ｓ８）。
【００３１】
図５は、本実施例のページ生成装置により生成されるページのページ表示例を示す図である。インターネット１６により接続されているＷＷＷサイト１９、２０、２１で提供されるページの表示例を、それぞれ１９ａ、２０ａ、２１ａとし、ページ中で取り出す対象としてＷＷＷサイト１９、２０、２１のページの指定部分は、それぞれ１９ｂ、２０ｂ、２１ｂとし、本実施例で表示される再構成後のページの表示例２２とすると、ＷＷＷサイト１９の指定部分１９ａの再構成後のページにおける表示部分２２ａへ、ＷＷＷサイト２０の指定部分である２０ａの再構成後のページにおける表示部分２２ｂへ、ＷＷＷサイト２１の指定部分２１ａの再構成後のページにおける表示部分２２cへ再構成され、ＨＴＴＰ処理装置１１に送信されインターネット１６を通じユーザ端末１７（又は１８）に画面によって表示される。
【００３２】
図６は、ページ内で本実施例のポータルサイト提供システムで取り出す部分を指定するためのページ内コンテンツ抽出方法（タグ）の指定例を示す図である。ＷＷＷサイト１９で提供されるページ表示例１９ａのＨＴＭＬを１９ｃとすると、１９ｃにおいて、指定開始部分には“<!Portal Site System Begin ID=AA5011→”で示されるタグ、指定終了部分には“<!Portal Site System End ID=AA5011→”で示されるタグを挿入することによりページの一部である１９ｂを指定する。又、同様にＷＷＷサイト２０で提供されるページ表示例２０ａのＨＴＭＬを２０ｃとすると、２０ｃにおいて、指定開始部分と指定終了部分にそれぞれタグを挿入することによりページの一部である２０ｂを指定する。更に、同様にＷＷＷサイト２１においてもページの一部である２１ｂを指定する。本システムでは、上述のタグで囲まれた部分を抽出し、ページレイアウト情報にて指定された部分に挿入する。その結果、再構成後のページ２２のページソース（ＨＴＭＬ）２２dが作成され、ページ２２中には２２ａ、２２ｂ、２２ｃのように配置されてユーザ端末１７又は１８にまとまったページとして表示することができる。
【００３３】
以上のように、本実施例は、ユーザ情報１５ｂに登録されているユーザがユーザ端末１７〜１８によりインターネット１６を通じポータルサイト提供システムサーバ１にアクセスすることによって、インターネット１６上に接続されサイト情報１５ａに情報が格納されているＷＷＷサイト１９〜２１内のページ中に含まれる特定のタグで囲まれた部分を、ページ生成装置１３によりインターネット１６を通じアクセスし取得し取り出し、ページレイアウト情報１５ｃに従って再構成してユーザ端末に表示することができるものである。
【００３４】
本実施例によれば、インターネットを通じ情報提供するＷＷＷサイトにおいて、利用者には検索の手間といくつものページを開く手間を軽減し少ない手順で目的の情報を収集するＷＷＷページを提供し、サイト提供者側にはＣＧＩやアプリケーションサーバなどによるアプリケーションの構築なしに、ポータルサイトのコンテンツであるポートレットを作成できるポータルサイト提供システムを提供することができる。
【００３５】
又、本実施例によれば、ユーザが所望する外部のＷＷＷサイトを同時に表示するページを提供することが可能になることで、効率よくＷＷＷの情報閲覧が可能になると共に、サイト提供者はＨＴＭＬにタグを埋め込むことでポータルサイトのコンテンツを提供可能になるため、アプリケーション構築の必要がなくなりコストを抑えることが可能となる。そして、本ポータルサイトに魅力的なコンテンツを提供することにより、ユーザがサイトを閲覧する可能性が高くなり、アクセス数向上にも繋がり、インターネット上のサイトの活性化につなげることができる。
【００３６】
更に、本実施例によれば、インターネットにより情報を発信する企業のＷＷＷサイトにとって急速に増大するコンテンツを利用者に見やすく、コストを抑えて提供することができる。
【図面の簡単な説明】
【００３７】
【図１】本発明のポータルサイト提供システムを示す概略構成図である。
【図２】本発明のポータルサイト提供システムにおけるデータ構造の例を示す図である。
【図３】本発明のポータルサイト提供システムにおけるページレイアウトの例を示す図である。
【図４】本発明のポータルサイト提供システムにおけるページ表示までのフロー図である。
【図５】本発明のポータルサイト提供システムにおけるページの表示例を示す図である。
【図６】本発明のポータルサイト提供システムにおけるページを取り出すためのタグの例を示す図である。
【符号の説明】
【００３８】
1…ポータルサイト提供システムサーバ、11…ＨＴＴＰ処理装置、12…ユーザ情報管理装置、12a…ユーザ認証部、12b…ユーザ情報登録部、13…ページ生成装置、13a…サイト内ページ取得部、13b…ページ生成部、14…サイト情報管理装置、14a…サイト情報取得部、14b…サイト情報登録部、15…データ記憶部、15a…サイト情報、15b…ユーザ情報、15c…ページレイアウト情報、16…インターネット、17〜18…ユーザ端末、19〜21…ＷＷＷサイト、19a…ＷＷＷサイト19のページ表示例、19b…ＷＷＷサイト19のページの指定部分、19c…ＷＷＷサイト19のページソース（ＨＴＭＬ）、20a…ＷＷＷサイト20のページ表示例、20b…ＷＷＷサイト20のページ指定部分、21a…ＷＷＷサイト21のページ表示例、21a…ＷＷＷサイト21のページ指定部分、22…再構成後のページ表示例、22a…ＷＷＷサイト19の指定部分19aの再構成後のページにおける表示部分、22b…ＷＷＷサイト20の指定部分20ａの再構成後のページにおける表示部分、22c…ＷＷＷサイト21の指定部分21ａの再構成後のページにおける表示部分、22d…再構成後のページ22のページソース（ＨＴＭＬ）。
【図１】
2005222094.tif 000003
【図２】
2005222094.tif 000004
【図３】
2005222094.tif 000005
【図４】
2005222094.tif 000006
【図５】
2005222094.tif 000007
【図６】
2005222094.tif 000008